(57)【要約】【課題】回折光学素子を利用して、良好な結像性能と小型化を達成したプロジェクタ光学系を提供し、さらに、このプロジェクタ光学系を備えるプロジェクタ、及び、このプロジェクタ光学系による投影方法を提供する。【解決手段】表示素子６３の像を投写して実像を形成するプロジェクタ光学系ＰＳを、スクリーン６５側若しくは観察側から順に、正の屈折力を有する第１レンズ群Ｇ１と、開口絞りＳと、第２レンズ群Ｇ２と、正の屈折力を有する第３レンズ群Ｇ３とを有し、開口絞りＳに隣接した第１レンズ群Ｇ１および第２レンズ群Ｇ２の少なくとも一方に回折光学素子を設ける。このとき、このプロジェクタ光学系ＰＳは、第２レンズ群Ｇ２と第３レンズ群Ｇ３との軸上空気間隔をＧとし、最もスクリーン６５側の面から表示素子６３までの光軸上の長さをＬとしたとき、次式                    ０．０５  ＜  Ｇ／Ｌ  ＜  ０．９を満足するように構成される。【選択図】図１
2008170594.tif 000002
【特許請求の範囲】
【請求項１】
表示素子の像を投写して実像を形成するプロジェクタ光学系であって、
スクリーン側若しくは観察側から順に、
正の屈折力を有する第１レンズ群と、
開口絞りと、
第２レンズ群と、
正の屈折力を有する第３レンズ群とを有し、
前記開口絞りに隣接した前記第１レンズ群および前記第２レンズ群の少なくとも一方に回折光学素子を有し、
前記第２レンズ群と前記第３レンズ群との軸上空気間隔をＧとし、最もスクリーン側若しくは観察側の面から前記表示素子までの光軸上の長さをＬとしたとき、次式
０．０５  ＜  Ｇ／Ｌ  ＜  ０．９
を満足するプロジェクタ光学系。
【請求項２】
前記回折光学素子は、２個の回折素子要素に形成された回折格子が対向して配置された複層型回折光学素子により形成され、
前記２個の回折素子要素の主波長（ｄ線）に対する屈折率の差をΔＮdとしたとき、次式
０．００５  ＜  ΔＮd  ＜  ０．４５
を満足する請求項１に記載のプロジェクタ光学系。
【請求項３】
前記第２レンズ群が、正レンズを含んで構成される請求項１または２に記載のプロジェクタ光学系。
【請求項４】
前記第２レンズ群が、正の屈折力を有する請求項１〜３のいずれか一項に記載のプロジェクタ光学系。
【請求項５】
前記２個の回折素子要素のアッベ数の差をΔνdとしたとき、次式
５０  ＜  Δνd／ΔＮd  ＜  ２０００
を満足する請求項２〜４のいずれか一項に記載のプロジェクタ光学系。
【請求項６】
光軸に対して対称で、最大像高の主光線が前記回折光学素子の回折光学面を通過するときの光線の角度が１０度以下になるように構成され、
前記回折光学面の有効径をＣとし、全系の焦点距離をｆとしたとき、次式
０．１  ＜  Ｃ／ｆ  ＜  ２．５
を満足する請求項１〜５のいずれか一項に記載のプロジェクタ光学系。
【請求項７】
前記回折光学素子の回折光学面の主波長（ｄ線）の回折効率設計値をＥdとし、前記主波長に対する短波長（ｇ線）での回折効率設計値をＥgとし、前記主波長に対する長波長（Ｃ線）での回折効率設計値をＥCとしたとき、次式
（Ｅg＋ＥC）／２  ＞  ０．６×Ｅd
を満足する請求項１〜６のいずれか一項に記載のプロジェクタ光学系。
【請求項８】
前記回折光学素子の回折光学面を形成する前記回折格子の格子高さをｈとし、前記回折素子要素のうち光軸上の軸上厚さが小さい方の厚さをｄとしたとき、次式
０．０３  ＜  ｈ／ｄ  ＜  ２．０
を満足する請求項２〜７のいずれか一項に記載のプロジェクタ光学系。
【請求項９】
正レンズと、正レンズ及び負レンズの接合レンズを含み、
前記正レンズのいずれかの面に隣接して前記回折光学素子の回折光学面が形成されている請求項１〜８のいずれか一項に記載のプロジェクタ光学系。
【請求項１０】
前記回折格子の壁を、瞳に向けて勾配を与え、光軸に対して傾けて形成された請求項２〜９のいずれか一項に記載のプロジェクタ光学系。
【請求項１１】
４枚以下の正レンズ成分と１枚の負レンズ成分とから構成される請求項１〜１０のいずれか一項に記載のプロジェクタ光学系。
【請求項１２】
４枚以上の正レンズ成分から構成される請求項１〜１０のいずれか一項に記載のプロジェクタ光学系。
【請求項１３】
３枚の正レンズ成分から構成される請求項１〜１０のいずれか一項に記載のプロジェクタ光学系。
【請求項１４】
３枚の正レンズから構成される請求項１〜１０のいずれか一項に記載のプロジェクタ光学系。
【請求項１５】
請求項１〜１５のいずれか一項に記載のプロジェクタ光学系を有し、光源から射出された光線を前記表示素子に照射して反射させるか、若しくは、透過させ、さらに、前記第３レンズ群、前記第２レンズ群、前記開口絞り、及び、前記第１レンズ群の順に透過させて投写することにより前記表示素子の実像を形成するように構成されたプロジェクタ。
【請求項１６】
表示素子の像を請求項１〜１５のいずれか一項に記載のプロジェクタ光学系を用いて投写することにより実像を形成するように構成された投影方法。
【発明の詳細な説明】
【技術分野】
【０００１】
本発明は、プロジェクタ光学系、このプロジェクタ光学系を備えるプロジェクタ、及び、このプロジェクタ光学系による投影方法に関する。
【背景技術】
【０００２】
プロジェクタは、液晶デバイス（ＬＣＤ，ＬＣＯＳ）やＤＭＤ等の表示素子をライトバルブとして用い、その表示画像をプロジェクタ光学系によりスクリーン等に拡大投写する装置である。近年では、表示素子の高性能化（高画素化）に伴い、解像力が高く、諸収差が十分補正された高性能なプロジェクタ光学系を備える種々のプロジェクタが提案されている（例えば、特許文献１参照）。
【０００３】
【特許文献１】特開２００４−２７９９５８号公報
【発明の開示】
【発明が解決しようとする課題】
【０００４】
しかしながら、高性能なプロジェクタ光学系は、色消しのためにレンズの枚数が多くなり、その結果、サイズも大きくなってしまい、プロジェクタ全体の小型化を妨げるという課題がある。
【０００５】
本発明はこのような課題に鑑みてなされたものであり、回折光学素子を利用して、良好な結像性能と小型化を達成したプロジェクタ光学系を提供し、さらに、このプロジェクタ光学系を備えるプロジェクタ、及び、このプロジェクタ光学系による投影方法を提供することを目的とする。
【課題を解決するための手段】
【０００６】
前記課題を解決するために、本発明に係るプロジェクタ光学系は、表示素子の像を投写して実像を形成する光学系であって、スクリーン側若しくは観察側から順に、正の屈折力を有する第１レンズ群と、開口絞りと、第２レンズ群と、正の屈折力を有する第３レンズ群とを有し、開口絞りに隣接した第１レンズ群および第２レンズ群の少なくとも一方に回折光学素子を有して構成されている。このとき、第２レンズ群と第３レンズ群との軸上空気間隔をＧとし、最もスクリーン側若しくは観察側の面から表示素子までの光軸上の長さをＬとしたとき、次式
０．０５  ＜  Ｇ／Ｌ  ＜  ０．９
を満足する。
【０００７】
このような本発明に係るプロジェクタ光学系は、回折光学素子が、２個の回折素子要素に形成された回折格子が対向して配置された複層型回折光学素子により形成され、２個の回折素子要素の主波長（ｄ線）に対する屈折率の差をΔＮdとしたとき、次式
０．００５  ＜  ΔＮd  ＜  ０．４５
を満足することが好ましい。
【０００８】
また、このような本発明に係るプロジェクタ光学系は、第２レンズ群が、正レンズを含んで構成されることが好ましく、さらに、第２レンズ群が、正の屈折力を有することが好ましい。
【０００９】
このとき、２個の回折素子要素のアッベ数の差をΔνdとしたとき、次式
５０  ＜  Δνd／ΔＮd  ＜  ２０００
を満足することが好ましい。
【００１０】
また、本発明に係るプロジェクタ光学系は、光軸に対して対称で、最大像高の主光線が回折光学素子の回折光学面を通過するときの光線の角度が１０度以下になるように構成され、回折光学面の有効径をＣとし、全系の焦点距離をｆとしたとき、次式
０．１  ＜  Ｃ／ｆ  ＜  ２．５
を満足することが好ましい。
【００１１】
また、回折光学素子の回折光学面の主波長（ｄ線）の回折効率設計値をＥdとし、この主波長に対する短波長（ｇ線）での回折効率設計値をＥgとし、主波長に対する長波長（Ｃ線）での回折効率設計値をＥCとしたとき、次式
（Ｅg＋ＥC）／２  ＞  ０．６×Ｅd
を満足することが好ましい。
【００１２】
また、回折光学素子の回折光学面を形成する回折格子の格子高さをｈとし、回折素子要素のうち光軸上の軸上厚さが小さい方の厚さをｄとしたとき、次式
０．０３  ＜  ｈ／ｄ  ＜  ２．０
を満足することが好ましい。
【００１３】
また、本発明に係るプロジェクタ光学系は、正レンズと、正レンズ及び負レンズの接合レンズを含み、これらの正レンズのいずれかの面に隣接して回折光学素子の回折光学面が形成されていることが好ましい。
【００１４】
また、回折格子の壁を、瞳に向けて勾配を与え、光軸に対して傾けて形成することが好ましい。
【００１５】
また、このような本発明に係るプロジェクタ光学系は、４枚以下の正レンズ成分と１枚の負レンズ成分とから構成されることが好ましい。あるいは、４枚以上の正レンズ成分から構成されることが好ましい。あるいは、３枚の正レンズ成分から構成されることが好ましい。あるいは、３枚の正レンズから構成されることが好ましい。
【００１６】
また、本発明に係るプロジェクタは、上述のプロジェクタ光学系のいずれかを有し、光源から射出された光線を表示素子に照射して反射させるか、若しくは、透過させ、さらに、第３レンズ群、第２レンズ群、開口絞り、及び、第１レンズ群の順に透過させて投写することによりこの表示素子の実像を形成するように構成される。
【００１７】
さらに、本発明に係る投影方法は、表示素子の像を上述のプロジェクタ光学系のいずれかを用いて投写することにより実像を形成するように構成される。
【発明の効果】
【００１８】
本発明に係るプロジェクタ光学系、このプロジェクタ光学系を備えるプロジェクタ、及び、このプロジェクタ光学系を用いた投影方法を以上のように構成すると、小型軽量で良好な結像性能を達成することができ、小型のプロジェクタ機器用の光学系等に好適である。
【発明を実施するための最良の形態】
【００１９】
以下、本発明の好ましい実施形態について図面を参照して説明する。まず、図１を用いて本発明に係るプロジェクタ、及び、このプロジェクタに用いられるプロジェクタ光学系の構成について説明する。この図１に示すように、プロジェクタ６０に用いられるプロジェクタ光学系ＰＳは、光源６１から放射された光をインテグレータレンズ６２で均一な状態にして表示素子６３に照射し、この表示素子６３から反射若しくは透過した光線（この図１においては透過させた場合を示している）の像を実像としてスクリーン６５に拡大投写する、若しくは、観察者が直接観察するものであり、一般的に、明るさの確保のためＦナンバーが小さく、画像の色ズレが小さいよう色収差が小さいことが求められる。そして、小型のモバイル機器等に搭載するために、小型で軽量であることも重要である。以下に説明するプロジェクタ光学系は、樹脂レンズ技術と回折光学技術とを組み合わせて、小型・軽量・高性能な投写レンズを得ようというものである。さらには、液晶表示素子などに適合させるため、瞳位置の遠い光学系を得ようとするものである。
【００２０】
このプロジェクタ光学系ＰＳは、スクリーン６５側若しくは観察側から順に、正の屈折力を有する第１レンズ群Ｇ１、開口絞りＳ、第２レンズ群Ｇ２、及び、正の屈折力を有する第３レンズ群Ｇ３から構成され、開口絞りＳに隣接したレンズ群、すなわち、第１レンズ群Ｇ１若しくは第２レンズ群Ｇ２に回折光学素子の回折光学面Ｄが形成されている（以下、回折光学面Ｄと言い、図１は第２レンズ群Ｇ２に設けた場合を示している）。なお、この図１に示すプロジェクタ光学系ＰＳは、表示素子６３として透過型液晶デバイス（ＬＣＤ(Liquid Crystal Display）パネル）を用いた場合を示している。また、この図１に示すプロジェクタ光学系ＰＳには表示素子６３を保護するために保護ガラス６４が配設されている。もちろん、表示素子６３はＬＣＤに限定されることはなく、ＤＭＤ(Digital Micromirror Device)を用いても良いし、反射型液晶デバイス（ＬＣＯＳ(Liquid Crystal on Silicon）パネルを用いても良い。
【００２１】
このように、表示素子６３として透過型の液晶デバイスや反射型の液晶デバイスを用いる場合には、照明光を効率的に用いるために、表示素子６３に対してはなるべくテレセントリックとなるように正フィールドレンズを配置することが好ましい。そのため、表示素子６３へのテレセントリック性を向上させるために、プロジェクタ光学系ＰＳの最も表示素子６３に近い位置に正の屈折力を有する第３レンズ群Ｇ３（正フィールドレンズ）が配置されている。以上のように、このプロジェクタ光学系ＰＳにおいては、光源６１からの光線がインテグレータレンズ６２で均一化されて表示素子６３を透過し、保護ガラス６４、第３レンズ群Ｇ３、第２レンズ群Ｇ２、開口絞りＳ、及び、第１レンズ群Ｇ１の順で透過して拡大されスクリーン６５に投写される。
【００２２】
上述のように、このプロジェクタ光学系ＰＳを構成する第１レンズ群Ｇ１若しくは第２レンズ群Ｇ２には回折光学面Ｄが設けられており（本実施例においては第２レンズ群Ｇ２に設けている９、この回折光学面Ｄは色収差を補正するために用いられる。この回折光学面Ｄは、開口絞りＳに隣接する第１レンズ群Ｇ１若しくは第２レンズ群Ｇ２の内部や前後のレンズ面に設けられる。
【００２３】
一般に、光線を曲げる方法は屈折と反射が知られているが、第３番目の方法として回折が知られている。回折光学素子とは、光の回折現象を利用した光学素子であって、屈折や反射とは異なる振る舞いを示すことが知られている。具体的には回折格子やフレネルゾーンプレートが従来から知られている。本実施例においては、ガラスやプラスチック等の光学部材の表面に回折格子やフレネルゾーンプレートのように回折現象を応用して光線を曲げる作用を有する面を創製して、その作用により良好な光学性能を得ようというものであり、このように回折現象を応用して光線を曲げる作用を有する面を回折光学面と呼ぶことにする。そして、このような面を有する光学素子を回折光学素子と一般に呼んでいる。
【００２４】
この回折光学面の性質として、正屈折力でありながら負の分散値を有しており、色収差補正に極めて有効であることが知られている。このため、通常ガラスでは達成し得ない良好な色収差補正が可能となることや、高価な特殊低分散ガラスでしか達成し得ないような良好な色収差補正が可能であることが知られている。
【００２５】
この回折光学素子を光学系に組み込み、利用するにあたり、素子としての光学設計上の特性を挙げると、負分散、異常分散性や非球面作用を有している。また、ペッツバール和を０にすることができ、光の分岐、合波が容易である。さらに、屈折力の温度変化が小さく、薄型化が可能である。特に、プロジェクタ光学系への応用に際し、注目されるのは次の点である。第１に、負の分散値（アッベ数＝−３．４５３）を持ち、分散が大きく、また異常分散性（部分分散比＝０．２９５６）が強いため、強力な色収差補正能力を有している点である。ガラスのアッベ数は通常３０〜８０程度であるため、回折光学素子のアッベ数の大きさはその１／１０倍以下である。換言すると、回折光学素子においては長い波長の光ほど大きく曲がる。このため、通常のガラスでは達成し得ない良好な色収差補正が可能となる。第２に、この回折光学素子を用いることにより、プロジェクタ光学系の小型化・軽量化が可能となる点である。回折格子の段差構造や強い色消し作用で接合レンズを減らすことができるため、薄型化が可能となる。
【００２６】
但し、副作用として、特定の次数・画角・波長以外の回折光がフレアとなって画質を低下させるので、ピックアップレンズのような単色の応用に限られていた。しかし、近年の研究で、回折格子を複数重ねることによって広い波長域で回折効率を大幅に向上できることが明らかになり、プロジェクタ光学系等への応用の道が拓けてきた。図２に２個の光学素子要素のそれぞれに回折格子を形成し、この回折格子を対向させて配置した複層型回折光学素子の例を示す。図２（ａ）は２個の回折素子要素５０ａ，５０ｂのそれぞれに回折格子を形成し、この回折格子を密着させて構成した密着複層型を示し、図２（ｂ）は、回折格子が所定の間隔を有して対向するように２個の回折素子要素５０ａ，５０ｂを配置した分離複層型を示している。なお、本実施例において、第２レンズ群Ｇ２に設けられている回折光学面Ｄは、密着複層型の回折光学素子により構成した場合を示している。
【００２７】
ここで、密着複層型回折光学素子の回折効率について検討する。主波長（ｄ線であってλd＝５８７．６ｎｍ）に対する基準屈折率をＮdとし、主分散をＮF−ＮC（ＮFはＦ線（λF＝４８６．１ｎｍ）に対する屈折率、ＮCはＣ線（λC＝６５６．３ｎｍ）に対する屈折率）とすると、密着複層型回折光学素子を構成する２個の回折素子要素（格子材料）の基準屈折率の差ΔＮdと、主分散ＮF−ＮCの差Δ（ＮF−ＮC）が、次の式の関係を満たせば、ｄ線、Ｆ線、Ｃ線での回折効率を１００％とすることができ、広帯域化を達成することができる。
【００２８】
ΔＮd／Δ（ＮF−ＮC）  ＝  λd／（λF−λC)
＝−３．４５３
【００２９】
すなわち、図３に示すように、ガラスマップ上の適切な格子材料の選び方は、密着複層型回折光学素子を形成する２個の格子材料を結ぶ直線Ｘの勾配が回折格子のアッベ数（＝−３．４５３）となれば良いことを示している。さらには、この直線Ｘ上であれば格子材料はどこから選択しても良く、実用上は多少この直線Ｘから外れても回折効率を十分高くすることができる。
【００３０】
さて、一般に、光学系の回折光学面を通過する光線角度は、できるだけ小さいことが好ましい。一般に、格子の段差（壁）部分は面に略垂直となっていることが多いため、回折光学面を通過する光線の角度が大きくなると回折光学面によるフレア（ブレーズした所定次数以外の光が有害光となって投影面に達する現象）が発生し易くなり、画質を損ねてしまうからである。そのため、回折光学面で発生するフレアがあまり影響を及ぼさずに良好な画像を得るためには、本プロジェクタ光学系ＰＳの場合、回折光学面Ｄを通過する光線の角度を１０度以下とすることが望ましい。このような条件を満たすことができれば、回折光学面Ｄは第１レンズ群Ｇ１若しくは第２レンズ群Ｇ２のどこに配置しても良いが、表示素子６３側に凸な面に形成するとこのような条件を満足することが容易になるので好ましい。さらに、その効果を十分に得るには、回折光学面Ｄを通過する光線の角度を５度以下とすることがより好ましい。このフレアに対しては、複層型回折光学素子を用いて複数の回折格子を重ねることにより、波長広帯域で回折効率を向上させ、フレアを減ずることができるので、カメラやプロジェクタ用途には好適である。
【００３１】
それでは、本実施例に係るプロジェクタ光学系ＰＳを構成するための条件について、以下に説明する。このプロジェクタ光学系ＰＳは、第２レンズ群Ｇ２と第３レンズ群Ｇ３との軸上空気間隔をＧとし、最もスクリーン側若しくは観察側の面（第１レンズ群Ｇ１のスクリーン側の面）から表示素子６３までの光軸上の長さ（全長）をＬとしたとき、次の条件式（１）を満足するように構成されている。
【００３２】
０．０５  ＜  Ｇ／Ｌ  ＜  ０．９                  （１）
【００３３】
条件式（１）は、第２レンズ群Ｇ２と第３レンズ群Ｇ３の間隔Ｇの適切なる範囲をプロジェクタ光学系ＰＳの全長Ｌとの割合で規定するものである。この条件式（１）の上限を上回ると、全長が長くなりすぎてしまい、小型化を損なうばかりか、レンズ系が大きくなる不都合が生じ、また、軸外収差の発生も大きくなって良好な結像性能が得られなくなる不都合が生じる。特に、非点収差が大きくなり画質が劣化する。反対に条件式（１）の下限を下回ると、光学系の射出瞳位置が近くなり過ぎ、表示素子６３にテレセントリック近くに入射する条件から外れやすくなる不都合が生じ易くなる。また、歪曲収差がプラス側に発生し易くなる傾向となってしまう。なお、この条件式（１）の効果を十分に発揮するには、上限を０．７、下限を０．１２とすることが望ましい。
【００３４】
また、本実施例においては、回折光学面Ｄが複層型回折光学素子で形成されている場合、この複層型回折光学素子を構成する２個の回折素子要素の主波長（ｄ線）に対する屈折率差をΔＮdとしたとき、次の条件式（２）を満足することが望ましい。
【００３５】
０．００５  ＜  ΔＮd  ＜  ０．４５              （２）
【００３６】
条件式（２）は、格子を形成する界面の適正なる屈折率差を示すものである。この条件式（２）の上限を上回ると、屈折率差ΔＮdが大きくなりすぎてしまい、製造誤差感度が大きくなりすぎる不都合が生ずる。さらには、その界面での反射率が大きくなって反射フレアや反射ゴーストが発生し易くなる不都合が生じる。反対に、条件式（２）の下限を下回ると、格子高さが大きくなりすぎてしまい、製造上不利となるばかりか、段差部分により影が生じてしまい、ブレーズ光の回折効率の低下と壁に当たる光による散乱や反射による迷光が大きくなって、画質を損ねる原因となってしまう。さらには、回折効率の角度特性が悪化し、斜入射する光によって発生するフレアが大きくなって画質を損ねやすくなる。なお、この条件式（２）の効果を十分に発揮するには、上限を０．１５、下限を０．０１とすることが望ましい。
【００３７】
なお、この第１レンズ群Ｇ１若しくは第２レンズ群Ｇ２に形成される回折光学面Ｄを、密着複層型の回折光学素子により形成すると、分離複層型の回折光学素子に比べて一方の格子高さが設計値よりずれても、もう一方の高さが自動的に同じ高さになるため、回折効率の劣化が防止される。また、密着複層型は格子界面の屈折率差が小さいので、格子界面粗さの影響は小さく（一般に散乱は屈折率差の二乗に比例すると考えられるため）、また、原理的に２個の回折素子要素の偏心が発生しないことから、両格子の位置合わせ精度も良好である（このため、回折効率の低下は少ない）。
【００３８】
また、本実施例においては、第１レンズ群Ｇ１若しくは第２レンズ群Ｇ２に設けられた回折光学面Ｄを密着複層型回折光学素子で構成したときに、上述の条件式に加えて、以下の条件式を満足することが望ましい。まず、密着複層型回折光学素子を形成する２個の格子材料（回折素子要素）のアッベ数の差をΔνdとするとき、次の条件式（３）を満足することが望ましい。
【００３９】
５０  ＜  Δνd／ΔＮd  ＜  ２０００            （３）
【００４０】
条件式（３）は、高屈折率低分散の材料と低屈折率高分散の光学媒質の適切なる範囲を規定するものである。この条件式（３）の上限を上回ると、波長広帯域にわたっての高い回折効率は得られない。この結果、不要な回折光がフレアとなって、いわゆるコマフレアのような現象が画面全体に発生し画質を損ねてしまう。反対に、条件式（３）の下限を下回ると、同様に波長広帯域にわたっての高い回折効率は得られない。この結果も上限を上回る場合と同様に、不要な回折光がフレアとなって、いわゆるコマフレアのような現象が画面全体に発生し画質を損ねてしまう。なお、条件式（３）の効果を十分に発揮するには、上限を１０００、下限を２００とすることが望ましい。
【００４１】
また、光軸に対して対称で、最大像高の主光線が回折光学面Ｄを通過するときの光線の角度が１０度以下になるように構成されているとき、回折光学面Ｄの有効径（直径）をＣとし、このプロジェクタ光学系ＰＳの全系の焦点距離をｆとしたとき、次の条件式（４）を満足することが望ましい。
【００４２】
０．１  ＜  Ｃ／ｆ  ＜  ２．５                    （４）
【００４３】
条件式（４）は、回折光学面Ｄの有効径（直径）の適切なる範囲を規定するものである。この条件式（４）の上限を上回ると、回折光学面Ｄの径が大きくなりすぎ、回折光学面の製作が困難となりコストアップにつながる。また、回折光学面Ｄに外部から有害光が入りやすくなり、フレア等による画質低下を招きやすくなる。収差的には、球面収差とコマ収差の発生が大きくなって画質を損ねてしまう。反対に、条件式（４）の下限を下回ると、回折光学面Ｄを有するレンズ（本実施例の場合第２レンズ群Ｇ２）の適切な有効径が小さくなりすぎて、回折光学面Ｄの格子ピッチが小さくなる傾向が強まり、回折光学素子面の製作が困難となってコストアップにつながるばかりか、回折光学面Ｄの格子によるフレア発生が大きくなり画質の低下を招きやすくなる。さらには、有効径を小さくすることで、該当する有効径の近傍のレンズの焦点距離が小さくなる傾向となって、その結果、球面収差や像面歪曲が大きくなる傾向となって画質を損ねてしまう。なお、条件式（４）の効果を十分に発揮するためには、上限を０．０８、下限を０．１５とすることが望ましい。
【００４４】
また、主波長（ｄ線）に対する回折効率設計値をＥdとし、、主波長に対する短波長（ｇ線，λg＝４３５．８ｎｍ）での回折効率設計値をＥgとし、主波長に対する長波長（Ｃ線）での回折効率設計値をＥCとしたとき、次の条件式（５）を満足することが望ましい。
【００４５】
（Ｅg＋ＥC）／２  ＞  ０．６×Ｅd                  （５）
【００４６】
条件式（５）は、広帯域化した際の回折効率（スカラー計算：強度）のバランスの適切なる範囲を規定するものである。この条件式（５）の上下限のいずれかを超えると、短波長、長波長のいずれかで回折効率が低下してしまい、回折フレアが大きくなり画質を損ねてしまう。とくに、不要な回折光がフレアとなって、いわゆるコマフレアのような現象が画面全体に発生し画質を損ねる。なお、条件式（５）の効果を十分に発揮するためには、右辺の数値（Ｅdに乗算される計数）の上限を０．９５、下限を０．６とすること望ましい。
【００４７】
また、回折光学面Ｄを形成する回折格子の格子高さをｈとし、２つの回折素子要素（５０ａ，５０ｂ）のうち、光軸上の厚さが薄い方のこの厚さをｄとするとき、次の条件式（６）を満足することが望ましい。
【００４８】
０．０３  ＜  ｈ／ｄ  ＜  ２．０                    （６）
【００４９】
条件式（６）は、薄い格子を形成する際の適正なる格子高さｈと、厚さｄの関係を示すものである。この条件式（６）の上限を上回ると、相対的に格子が高くなりすぎ、格子形状を作りづらくするばかりか、格子段差部分が大きくなり段差部分に当たった光による散乱等で迷光が発生しやすくな不都合が生じる。特に不要な回折光や散乱光がフレアとなって、いわゆるコマフレアのような現象が画面全体に発生し画質を損ねてしまう。反対に、条件式（６）の下限を下回ると、相対的に格子を形成する光学材料が厚くなりすぎ、やはり格子形状を作りづらくなるばかりか、材料の内部吸収が増えてしまい、光学系全体の透過率が劣化したり、色付きが起り易くなったりする不都合が生じる。すなわち、条件式（６）の範囲であれば、格子高さが過度に高くならずこのため製造し易くなり、且つ、格子の段差部分による影の効果（回折効率の低下）、散乱によるフレアを防ぐことができる。なお、この条件式（６）の効果を十分に発揮するためには、上限を０．４，下限を０．００２とすることが望ましい。
【００５０】
さらに、本実施例においては上述の条件式に加えて、以下の条件式を満足することが望ましい。まず、第１レンズ群Ｇ１の焦点距離をｆ１とし、第２レンズ群Ｇ２の焦点距離をｆ２としたとき、次の条件式（７）を満足することが望ましい。
【００５１】
０．３  ＜  ｆ１／ｆ２  ＜  １００．０                （７）
【００５２】
また、第３レンズ群Ｇ３の焦点距離をｆ３としたとき、次の条件式（８）を満足することが望ましい。
【００５３】
０．０５  ＜  ｆ３／ｆ  ＜  １０．０                  （８）
【００５４】
条件式（７）及び（８）は、いずれもレンズ群の適切なる屈折力配分を定めるものである。まず、条件式（７）は、第１レンズ群Ｇ１の焦点距離ｆ１と第２レンズ群Ｇ２の焦点距離ｆ２の屈折力のバランスの適切なる範囲を規定するものである。この条件式（７）の上下限のいずれかを超えると、収差補正上の適切なる屈折力のバランスが崩れ、諸収差、特に球面収差が大きくなり画質を損ねてしまう。なお、この条件式（７）の効果を十分に発揮するには、上限を５０、下限を１とすることが望ましい。
【００５５】
条件式（８）は、第３レンズ群（フィールドレンズ）Ｇ３の全体に対する屈折力の適切なる範囲を規定するものである。さらには、テレセントリック性に関しても適切な条件を規定するものである。この条件式（８）の上下限のいずれかを超えると、収差補正上の適切なる屈折力のバランスが崩れ、諸収差、特に球面収差が大きくなり画質を損ねてしまう。また、下限を超えると、光学系の瞳が近くなりすぎてしまい、テレセントリック性が崩れやすくなって不都合である。テレセントリックから外れると、シェーディングが発生しやすくなって画質を損ねてしまう結果となる。なお、この条件式（８）の効果を十分に発揮するには、上限を３．０、下限を０．７とすることが望ましい。
【００５６】
さらに、ｄ線、ｇ線、Ｃ線、Ｆ線スペクトルの光軸方向の広がり幅をΔとしたとき、次の条件式（９）を満足することが望ましい。
【００５７】
０．０００１  ＜  Δ／ｆ  ＜  ０．１              （９）
【００５８】
条件式（９）は、適切なる軸上色収差の補正範囲の条件を規定するものである。この条件式（９）の上限を上回ると、色収差が大きくなりすぎてしまい、色付いた画像となって画質を大きく損ねてしまう。反対に、条件式（９）の下限を下回ると、格子ピッチが小さくなりすぎる傾向となって製造しずらくなるばかりか、狭ピッチの格子によるフレア発生が大きくなり画質を損ねてしまう。なお、この条件式（９）の効果を十分に発揮するには、上限を０．０２、下限を０．０００２とすることが望ましい。
【００５９】
実際にレンズを構成するとき、以下に述べる構成的要件をさらに満たすことが望ましい。まず、回折光学素子面によるフレア発生を小さくするため、回折光学面Ｄへの入射角を小さくすることが必要である。このためには、第１レンズ群Ｇ１でも第２レンズ群Ｇ２でも良いが、開口絞りＳ側に曲率の中心を向けた面に回折光学面Ｄを配置することが好ましい。上述のように１０度以下にすると好ましい結果を得ることができるが、より好ましい結果を得るためには７度以下が好ましい。なお、回折光学面Ｄを配置するレンズは正レンズでも負レンズでも構わない。
【００６０】
また、良好な色収差補正のために、第１レンズ群Ｇ１及び第２レンズ群Ｇ２は接合レンズとしても良い。このとき、アッベ数の差が１５以上の接合レンズとすることが好ましい。そして、回折光学面Ｄをその接合面中に形成しても良い。この場合、耐久性が増すので実際の製品として好ましい態様となる。
【００６１】
そして、波長広帯域にわたって良好な回折効率を得るためには、格子を形成する２つの光学材料（回折素子要素）は、Ｆ線に対する屈折率の差をΔＮFとし、Ｃ線に対する屈折率の差をΔＮCとするとき、ΔＮd／Δ（ＮF−ＮC）の値が所定の範囲であることが望ましく、本実施例においては、−１５＜ΔＮd／Δ（ＮF−ＮC）＜−２の範囲にあることが望ましい。さらに、ΔＮF＜ΔＮCを満足することが好ましい。これらの範囲を超えると、良好な回折効率が波長広帯域にわたって得られなくなる。
【００６２】
なお、第１〜第３レンズ群Ｇ１〜Ｇ３は、いずれも樹脂からなる単凸レンズとして構成することもできる。樹脂はガラスに比べて密度が一般に１／２〜１／３と小さいので、このプロジェクタ光学系ＰＳの軽量化に極めて有効である。正レンズ３枚で構成する場合は、順に正メニスカスレンズ、正メニスカスレンズ、両凸レンズ（フィールドレンズ）とすることが好ましい。
【００６３】
このようなプロジェクタ光学系ＰＳにおいて、第２レンズ群Ｇ２は、正レンズを含んで構成されることが望ましく、更に、この第２レンズ群Ｇ２が正の屈折力を有することが望ましい。このように構成すると、このプロジェクタ光学系ＰＳの全長を短くすることができる。
【００６４】
また、第３レンズ群Ｇ３は、両面とも非球面とすることが好ましい。このようにすると、良好な収差補正と、光線の通過する角度を５度以内とすることを両立させることが可能となるので好ましい。また、第３レンズ群Ｇ３中には、色収差補正の効果を十分に達成するために、回折光学面Ｄで補正しきれない２次スペクトルを補正するために、正レンズと負レンズにより接合レンズを設けることも可能である。
【００６５】
なお、このようなプロジェクタ光学系ＰＳは、４枚以下の正レンズ成分と１枚の負レンズ成分とから構成することにより小型化可能となる。また、４枚以上の正レンズ成分で構成しても良いし、３枚の正レンズ成分で構成しても良い。また、３枚の正レンズで構成することによりさらに小型化することができる。
【００６６】
また、このプロジェクタ光学系ＰＳにおいては、近距離物体へのフォーカシング（合焦）と変倍は、第１レンズ群Ｇ１及び第２レンズ群Ｇ２を物体側（投写面側）に繰り出すいわゆるフローティングフォーカスと変倍を行うことができる。特に合焦は、第１レンズ群Ｇ１及び第２レンズ群Ｇ２の全体か、第１レンズ群Ｇ１の部分群を移動させる方法が良い。
【００６７】
また、本実施例に係るプロジェクタ光学系ＰＳは、このプロジェクタ光学系ＰＳを構成するレンズのブレを検出するブレ検出手段と、ブレ検出手段からの信号とプロジェクタの作動シークエンスの制御を行う制御手段からの信号とに基づいて適正なブレ補正量を定めるブレ制御装置と、ブレ補正量に基づき防振レンズ群を移動させる駆動機構とを組み合わせて、防振レンズシステムを構成することで、このプロジェクタ光学系ＰＳが搭載されたプロジェクタを手で持って拡大投写するように構成することもできる。防振のために実際に可動とするのは、第１レンズ群Ｇ１及び第２レンズ群Ｇ２の全体、又は、これらのレンズ群の部分群が特に良い。
【００６８】
実際に回折光学面を創製するには、レンズの表面にフレネルゾーンプレートのように、光軸に対して回転対称な格子構造を作ることが製作上容易であって、まず、好ましい。この際、通常の非球面レンズを製作するのと同じく、精研削でも、ガラスモールドでも可能である。さらには、レンズ表面に薄い樹脂層で格子構造を形成しても良い。また、格子にはキノホーム等の単純な単層構造に限らず、複数の格子構造を重ねることにより、回折効率の波長特性や画角特性を向上させることができるので、好都合である。
【００６９】
ここで、回折光学面Ｄを形成する回折格子の段差部分は、必ずしも光軸に対して平行にする必要はなく、光束が通過する方向に倣って角度を付けても良い。図４は、正レンズの機能を有すべく、図左側に光軸が設けられ、同心円状の周期構造を有した回折格子が形成された回折素子要素５０を示しており、この回折格子を形成する境界側面５１は基準となる境界面５２の法線に対して所定の角度θを有して傾斜して形成されている。そのため、代表入射光線５３は、この境界面５１と平行に代表入射角θで収斂光として入射する。この時、例えば、その段差部分は光学系の瞳を向くようにすれば、フレアを軽減できることが期待できる。
【００７０】
なお、回折光学面Ｄは、格子を形成する部材（回折素子要素）を密着させた密着複層型が好ましく、軸上厚さが小さい方の回折素子要素の厚さは、吸収による光量損失を防ぐために、０．５ｍｍ以下とすることが好ましい。但し、これらの回折素子要素は僅かな空気間隔を置いて配置しても（分離複層型）同様な光学系を得ることができる。
【実施例】
【００７１】
以下に、本願に係るプロジェクタ光学系ＰＳの３つの実施例を示すが、各実施例において、第２レンズ群Ｇ２に形成された回折光学素子の回折光学面Ｄ（以下、回折光学面Ｄと言う）の位相差は、通常の屈折率と後述する非球面式（ａ）とを用いて行う超高屈折率法により計算した。超高屈折率法とは、非球面形状と回折光学面の格子ピッチとの間の一定の等価関係を利用するものであり、本実施例においては、回折光学面を超高屈折率法のデータとして、すなわち、後述する非球面式（ａ）およびその係数より示している。なお、本実施例では収差特性の算出対象として、ｄ線、ｇ線、Ｃ線、および、Ｆ線を選んでいる。本実施例において用いられたこれらｄ線、ｇ線、Ｃ線、および、Ｆ線の波長と、各スペクトル線に対して設定した超高屈折率法の計算に用いられるための屈折率の値を下の表１に示す。
【００７２】
（表１）
波長              屈折率（超高屈折率法による）
ｄ線       587.562ｎｍ       10001
ｇ線       435.835ｎｍ        7418.6853
Ｃ線       656.273ｎｍ       11170.4255
Ｆ線       486.133ｎｍ        8274.7311
【００７３】
各実施例において、非球面は、光軸に垂直な方向の高さをｙとし、高さｙにおける各非球面の頂点の接平面から各非球面までの光軸に沿った距離（サグ量）をＳ（ｙ）とし、基準の曲率半径（頂点曲率半径）をｒとし、円錐係数をκとし、ｎ次の非球面係数をＣnとしたとき、以下の数式（ａ）で表わされる。またこのとき、近軸曲率半径Ｒは以下の数式（ｂ）で表される。
【００７４】
Ｓ（ｙ）＝（ｙ2／ｒ）／｛１＋（１−κ・ｙ2／ｒ2）1/2｝
＋Ｃ2・ｙ2＋Ｃ4・ｙ4＋Ｃ6・ｙ6＋Ｃ8・ｙ8＋Ｃ10・ｙ10＋・・・    （５）
Ｒ＝１／（１／ｒ＋２Ｃ2）                                        （６）
【００７５】
なお、各実施例において、回折光学面が形成されたレンズ面には、表中の面番号の右側に＊印を付しており、非球面式（ａ）は、この回折光学面の性能の諸元を示している。
【００７６】
レンズデータ中の係数Ｃ2は、回折光学面の近軸パワーを示すものであり、色消しのためには、重要な量である。本実施例においては、｜１×１０-10｜  ＜Ｃ2  ＜  ｜１×１０-4｜の範囲とすることが好ましい。この範囲を超えると、良好な色消しが得られなくなる。
【００７７】
（第１実施例）
図５は、本願に係るプロジェクタ光学系の第１実施例を示しており、このプロジェクタ光学系ＰＳ１は、スクリーン側若しくは観察側から順に第１レンズ群Ｇ１、開口絞りＳ、第２レンズ群Ｇ２、第３レンズ群Ｇ３、保護ガラス６４、及び、表示素子６３から構成されている。なお、この図５においては、スクリーン側若しくは観察側から照射した光線を表示素子６３に結像させた場合（すなわち、逆光線追跡の場合）を示している。この第１実施例において、第１レンズ群Ｇ１はスクリーン側若しくは観察側に凸面を向けた負メニスカスレンズＬ１から構成され、第２レンズ群Ｇ２はスクリーン側若しくは観察側に凹面を向けた正メニスカスレンズＬ２、及び、この正メニスカスレンズＬ２の凸面に接合されて形成された密着複層型回折光学素子Ｌ３から構成され、第３レンズ群Ｇ３は両凸レンズＬ４から構成される。
【００７８】
このように図５に示した第１実施例に係るプロジェクタ光学系ＰＳ１の諸元を表２に示す。この表２において、第１欄ｍはスクリーン側若しくは観察側からの各光学面の番号（右の＊は回折光学面として形成されているレンズ面）であって、図５に示した面番号１〜１２に対応している。また、第２欄ｒは各光学面の曲率半径（回折光学面の場合は、ベースとなる非球面の基準となる球面の曲率半径）、第３欄ｄは各光学面から次の光学面までの光軸上の距離、さらに第４欄ｎｄ、第５欄ｎｇ、第６欄ｎＣ、および、第７欄ｎＦはそれぞれｄ線、ｇ線、Ｃ線、および、Ｆ線に対する屈折率を示している。また、非球面データにおいて、０（ゼロ）となるｎ次の非球面係数Ｃnは省略している。さらに、表には前記条件式（１）〜（９）に対応する値、すなわち、条件対応値も示している。以上の表の説明は他の実施例においても同様である。
【００７９】
なお、以下の全ての諸元において掲載される曲率半径ｒ、面間隔ｄその他長さの単位は、特記の無い場合、一般に「ｍｍ」が使われるが、光学系は比例拡大又は比例縮小しても同等の光学性能が得られるので、単位は「ｍｍ」に限定されることはなく、他の適当な単位を用いることもできる。
【００８０】
（表２）
ｍ        ｒ          ｄ      ｎｄ          ｎｇ        ｎＣ      ｎＦ
1     5.12381     2.60000    1.772789    1.792324    1.768074    1.783701
2     4.04774     1.35952    1.000000
3     0.00000     2.25447    1.000000
4    -4.62213     2.60000    1.524700    1.536490    1.521960    1.531290
5    -3.51556     0.10000    1.527600    1.547700    1.523300    1.538500
6*   -3.51556     0.00000    10001       7418.6853   11170.4255  8274.7311
7    -3.51555     0.10000    1.556900    1.571100    1.553700    1.564800
8    -3.51556     6.60440    1.000000
9  -256.99796     2.60000    1.524700    1.536490    1.521960    1.531290
10   -12.68192     3.00000    1.000000
11     0.00000     1.50000    1.516330    1.526210    1.513860    1.521910
12     0.00000     1.53150    1.000000
非球面データ
第１面  κ＝1.5380    Ｃ4＝7.36370×10-4    Ｃ6＝-4.20590×10-5
Ｃ8＝6.91950×10-6    Ｃ10＝-3.57820×10-8
第２面  κ＝1.9242    Ｃ4＝3.45880×10-3    Ｃ6＝-3.36830×10-4
Ｃ8＝2.05110×10-4    Ｃ10＝4.50100×10-8
第４面  κ＝0.8378    Ｃ4＝-1.46690×10-3    Ｃ6＝-1.83100×10-4
Ｃ8＝-1.32370×10-6    Ｃ10＝6.12060×10-8
第５面  κ＝0.8720    Ｃ4＝9.34140×10-5    Ｃ6＝6.93480×10-5
Ｃ8＝-3.81460×10-6    Ｃ10＝8.22950×10-8
第６面  κ＝0.8720    Ｃ4＝9.34140×10-5    Ｃ6＝6.93480×10-5
Ｃ8＝-3.81460×10-6    Ｃ10＝8.22950×10-8
第７面  κ＝0.8720    Ｃ4＝9.34390×10-5    Ｃ6＝6.93470×10-5
Ｃ8＝-3.81490×10-6    Ｃ10＝8.23300×10-8
第８面  κ＝0.8720    Ｃ4＝9.34390×10-5    Ｃ6＝6.93470×10-5
Ｃ8＝-3.81490×10-6    Ｃ10＝8.23300×10-8
第９面  κ＝2387.8224    Ｃ4＝1.33500×10-3    Ｃ6＝-4.32180×10-5
Ｃ8＝7.44470×10-7    Ｃ10＝-4.44160×10-9
第１０面  κ＝-11.6451    Ｃ4＝6.46010×10-4    Ｃ6＝-2.99600×10-5
Ｃ8＝4.55560×10-7    Ｃ10＝-3.45930×10-9
条件対応値
Ｇ＝6.6044
Ｌ＝24.250
Δνd＝15.46
Ｃ＝5.6
ｆ＝12.959
Ｅg＝98.221
ＥC＝98.233
Ｅd＝99.999
ｈ＝0.02
ｄ＝0.1
ｆ１＝468.253
ｆ２＝13.047
ｆ３＝25.332
Δ＝0.0838
（１）Ｇ／Ｌ＝0.2723
（２）ΔＮd＝0.0293
（３）Δνd／ΔＮd＝527.65
（４）Ｃ／ｆ＝0.432
（５）（Ｅg＋ＥC）／２＝98.227
０．６×Ｅd＝59.999
（６）ｈ／ｄ＝0.2
（７）ｆ１／ｆ２＝35.890
（８）ｆ３／ｆ＝1.955
（９）Δ／ｆ＝0.00647
【００８１】
このように、第１実施例では上記条件式（１）〜（９）は全て満たされていることが分かる。図６にこの第１実施例に係るプロジェクタ光学系ＰＳ１の球面収差、非点収差、歪曲収差、コマ収差、および、倍率色収差、すなわち、無限遠合焦状態での諸収差図を示す。各収差図において、ＦＮＯはＦナンバーを、Ｙは像高をそれぞれ示している。なお、球面収差図では最大口径に対するＦナンバーの値、非点収差図と歪曲収差図では像高の最大値をそれぞれ示し、コマ収差図では各像高の値を示す。また、非点収差図では実線はサジタル像面を示し、破線はメリディオナル像面を示している。以上の収差図の説明は、他の実施例においても同様である。この図６中の各収差図から明らかなように、第１実施例では、諸収差が良好に補正され、優れた結像性能が確保されていることが分かる。
【００８２】
（第２実施例）
次に第２実施例として図７にプロジェクタ光学系ＰＳ２を示す。このプロジェクタ光学系ＰＳ２は、スクリーン側若しくは観察側から順に第１レンズ群Ｇ１、開口絞りＳ、第２レンズ群Ｇ２、第３レンズ群Ｇ３、及び、表示素子６３から構成されている。なお、この図７においても逆光線追跡の場合を示している。この第２実施例において、第１レンズ群Ｇ１はスクリーン側若しくは観察側に凸面を向けた負メニスカスレンズＬ１１と、スクリーン側若しくは観察側に凸面を向けた正メニスカスレンズＬ１２及びスクリーン側若しくは観察側に凸面を向けた負メニスカスレンズＬ１３が接合された接合レンズとから構成され、第２レンズ群Ｇ２はスクリーン側若しくは観察側に凹面を向けた正メニスカスレンズＬ１４、複層型回折光学素子Ｌ１５、及び、スクリーン側若しくは観察側に凹面を向けた正メニスカスレンズＬ１６が接合された接合レンズから構成され、第３レンズ群Ｇ３は両凸レンズＬ１７から構成される。
【００８３】
このように図７に示した第２実施例に係るプロジェクタ光学系ＰＳ２の諸元を表３に示す。なお、表３に示す面番号は図７に示した面番号１〜１４と一致している。
【００８４】
（表３）
ｍ        ｒ          ｄ      ｎｄ          ｎｇ        ｎＣ      ｎＦ
1     8.80000     1.10000    1.524700    1.536490    1.521960    1.531290
2    11.20226     0.55000    1.000000
3     5.63619     1.75000    1.744429    1.763231    1.739893    1.754927
4    22.00000     1.10000    1.762000    1.786340    1.756390    1.775390
5     4.45252     1.54000    1.000000
6     0.00000     2.50000    1.000000
7    -5.17000     1.00000    1.582760    1.607990    1.577240    1.596450
8    -7.48000     0.10000    1.527600    1.547700    1.523300    1.538500
9*   -7.48000     0.00000    10001       7418.6853   11170.4255  8274.7311
10    -7.48000     0.10000    1.556900    1.571100    1.553700    1.564800
11    -7.48000     2.00000    1.524700    1.536490    1.521960    1.531290
12    -3.86711    11.55000    1.000000
13  -282.69776     1.65000    1.524700    1.536490    1.521960    1.531290
14   -13.95011     0.91521    1.000000
非球面データ
第３面  κ＝1.5380    Ｃ4＝5.86030×10-4    Ｃ6＝-2.61150×10-5
Ｃ8＝3.55080×10-6    Ｃ10＝-1.51750×10-8
第５面  κ＝1.9242    Ｃ4＝2.59860×10-3    Ｃ6＝-2.09140×10-4
Ｃ8＝1.05250×10-4    Ｃ10＝41.90890×10-8
第７面  κ＝0.8378    Ｃ4＝-1.10210×10-3    Ｃ6＝-1.13690×10-4
Ｃ8＝-6.79270×10-7    Ｃ10＝2.59570×10-8
第１０面  κ＝1.0000    Ｃ2＝-2.72730×10-7
第１２面  κ＝0.8720    Ｃ4＝7.01830×10-5    Ｃ6＝4.30600×10-5
Ｃ8＝-1.95750×10-6    Ｃ10＝3.49010×10-8
第１３面  κ＝2387.8224    Ｃ4＝1.00300×10-3    Ｃ6＝-2.68350×10-5
Ｃ8＝3.82030×10-7    Ｃ10＝-1.88370×10-9
第１４面  κ＝-11.6451    Ｃ4＝4.85360×10-4    Ｃ6＝-1.86030×10-5
Ｃ8＝2.33770×10-7    Ｃ10＝-1.46710×10-9
条件対応値
Ｇ＝11.55
Ｌ＝25.855
Δνd＝15.46
Ｃ＝4.87
ｆ＝17.476
Ｅg＝98.221
ＥC＝98.233
Ｅd＝99.999
ｈ＝0.02
ｄ＝0.1
ｆ１＝57.198
ｆ２＝15.103
ｆ３＝27.908
Δ＝0.0309
（１）Ｇ／Ｌ＝0.4467
（２）ΔＮd＝0.0293
（３）Δνd／ΔＮd＝527.65
（４）Ｃ／ｆ＝0.279
（５）（Ｅg＋ＥC）／２＝98.227
０．６×Ｅd＝59.999
（６）ｈ／ｄ＝0.2
（７）ｆ１／ｆ２＝3.787
（８）ｆ３／ｆ＝1.597
（９）Δ／ｆ＝0.00177
【００８５】
このように、第２実施例においても上記条件式（１）〜（９）は全て満たされていることが分かる。図８にこの第２実施例に係るプロジェクタ光学系ＰＳ２の無限遠合焦状態での球面収差、非点収差、歪曲収差、コマ収差、および、倍率色収差を示すが、各収差図から明らかなように、この第２実施例でも、収差が良好に補正され、優れた結像性能が確保されていることが分かる。
【００８６】
（第３実施例）
次に第３実施例として図９にプロジェクタ光学系ＰＳ３を示す。このプロジェクタ光学系ＰＳ３も、スクリーン側若しくは観察側から順に第１レンズ群Ｇ１、開口絞りＳ、第２レンズ群Ｇ２、第３レンズ群Ｇ３、及び、表示素子６３から構成されている。なお、この図９においても逆光線追跡の場合を示している。この第３実施例において、第１レンズ群Ｇ１はスクリーン側若しくは観察側に凸面を向けた負メニスカスレンズＬ２１から構成され、第２レンズ群Ｇ２は両凹レンズＬ２２と、両凸レンズＬ２３、及び、この両凸レンズＬ２３の表示素子６３側の面に接合されて形成された密着複層型回折光学素子Ｌ２４とから構成され、第３レンズ群Ｇ３は両凸レンズＬ２５から構成される。なお、開口絞りＳは、第１レンズ群Ｇ１を構成する負メニスカスレンズＬ２１の表示素子６３側の面の外周部に形成されている。
【００８７】
このように図９に示した第３実施例に係るプロジェクタ光学系ＰＳ３の諸元を表４に示す。なお、表４に示す面番号は図９に示した面番号１〜１１と一致している。
【００８８】
（表４）
ｍ        ｒ          ｄ      ｎｄ          ｎｇ        ｎＣ      ｎＦ
1     7.68000     2.52000    1.696800    1.712319    1.692982    1.705514
2    17.71200     1.15200    1.000000
3   -23.20800     0.57600    1.595071    1.616844    1.590169    1.606927
4     7.68000     1.36800    1.000000
5    18.57600     1.92000    1.713000    1.729417    1.708984    1.722206
6   -15.43200     0.20000    1.556900    1.570900    1.553600    1.564700
7*  -15.43200     0.00000    10001       7418.6853   11170.4255  8274.7311
8   -15.43200     0.20000    1.518900    1.538000    1.514400    1.528900
9   -15.43200    13.00000    1.000000
10   125.00000     2.00000    1.516800    1.526703    1.514322    1.522384
11   -25.00000     3.27803    1.000000
非球面データ
第８面  κ＝1.0000    Ｃ2＝-6.0000×10-8
条件対応値
Ｇ＝13.000
Ｌ＝26.213
Δνd＝18.14
Ｃ＝6.63
ｆ＝20.252
Ｅg＝94.372
ＥC＝96.490
Ｅd＝99.706
ｈ＝0.015
ｄ＝0.2
ｆ１＝17.640
ｆ２＝12.007
ｆ３＝40.496
Δ＝0.00955
（１）Ｇ／Ｌ＝0.496
（２）ΔＮd＝0.038
（３）Δνd／ΔＮd＝477.37
（４）Ｃ／ｆ＝0.327
（５）（Ｅg＋ＥC）／２＝95.431
０．６×Ｅd＝59.824
（６）ｈ／ｄ＝0.075
（７）ｆ１／ｆ２＝1.496
（８）ｆ３／ｆ＝2.000
（９）Δ／ｆ＝0.00047
【００８９】
このように、第３実施例においても上記条件式（１）〜（９）は全て満たされていることが分かる。図１０にこの第２実施例に係るプロジェクタ光学系ＰＳ３の無限遠合焦状態での球面収差、非点収差、歪曲収差、コマ収差、および、倍率色収差を示すが、各収差図から明らかなように、この第３実施例でも、収差が良好に補正され、優れた結像性能が確保されていることが分かる。
【００９０】
以上説明したように、第１〜第３実施例に係るプロジェクタ光学系ＰＳ１〜ＰＳ３は、回折光学面Ｄを設けることにより、小型軽量で良好な結像性能を達成することができ、小型のプロジェクタ機器用の光学系等に好適である。各実施例では回折光学面は第２レンズ群に形成される構成を示したが、第１レンズ群のみ、又は第１レンズ群と第２レンズ群の両方に形成しても良い。また、プロジェクタのように実像を形成する光学系に限定せず、ビューワーのように虚像を観察する光学系にも応用が可能である。
【図面の簡単な説明】
【００９１】
【図１】本願に係るプロジェクタ光学系が用いられるプロジェクタのレンズ構成を示す図である。
【図２】複層型回折光学素子を説明するための説明図であり、（ａ）は密着型を示し、（ｂ）は分離型を示す。
【図３】複層型回折光学素子を構成する２個の回折素子要素のガラスマップ上の分布を説明するための説明図である。
【図４】回折光学素子の要部を拡大した断面図である。
【図５】第１実施例に係るプロジェクタ光学系のレンズ構成を示す図である。
【図６】第１実施例に係るプロジェクタ光学系の諸収差図である。
【図７】第２実施例に係るプロジェクタ光学系のレンズ構成を示す図である。
【図８】第２実施例に係るプロジェクタ光学系の諸収差図である。
【図９】第３実施例に係るプロジェクタ光学系のレンズ構成を示す図である。
【図１０】第３実施例に係るプロジェクタ光学系の諸収差図である。
【符号の説明】
【００９２】
ＰＳ，ＰＳ１，ＰＳ２，ＰＳ３  プロジェクタ光学系
Ｇ１  第１レンズ群      Ｇ２  第２レンズ群      Ｇ３  第３レンズ群
Ｓ  開口絞り      Ｄ  回折光学面
６０  プロジェクタ      ６１  光源      ６３  表示素子      ６５  スクリーン
【図１】
2008170594.tif 000003
【図２】
2008170594.tif 000004
【図３】
2008170594.tif 000005
【図４】
2008170594.tif 000006
【図５】
2008170594.tif 000007
【図６】
2008170594.tif 000008
【図７】
2008170594.tif 000009
【図８】
2008170594.tif 000010
【図９】
2008170594.tif 000011
【図１０】
2008170594.tif 000012